(57)【要約】【課題】囲炉裏としての雰囲気を保ちながら、炭火を用いず電熱器を熱源とし、ローテーブルとしてもハイテーブルとしても２通りに使用できる木製囲炉裏テーブルを提供する。【解決手段】座卓と置台の構成からなり、積重ねると椅子に座ってハイテーブルとして使用でき、別々に離しても囲炉裏型座卓つまりローテーブルと置台として使用できる２段重ね式テーブルとした。囲炉裏内部に炭型電熱器を熱源として組み込む。電気コードを胴体側面の通し穴から取り出し、コードをまとめて吊り下げる木製フックを付けた。囲炉裏部のフタを収納できる棚を置台の中間に組み付けた。【選択図】図１
0003121781.tif 000002
【実用新案登録請求の範囲】
【請求項１】
座卓と置台の構成からなり、積重ねると食卓つまりハイテーブルで使用でき、別々にすると座卓と脇台としてローテーブルで使用できる２段重ね方式の木製テーブル。座卓部は天板中央に開口から胴体内部に耐熱構造の火鉢を内蔵した囲炉裏型とする。座卓の底部に接合枠、置台の上面にこれを受け止める段差を設けることにより、接合時に横からの力で外れない構造とした木製２段式囲炉裏テーブル。
【請求項２】
請求項１の木製２段式囲炉裏テーブルにおいて囲炉裏を覆い天板と面一になる木製のフタ板を有する。断熱耐火構造の囲炉裏内部に電熱器を設置する。囲炉裏内部から胴体へ貫通する配線通し穴から取り出した電源コードをまとめ、引っ掛けて整理できる突起状の木製フックを胴体側面につけた木製２段式囲炉裏テーブル。
【請求項３】
請求項１の木製２段式囲炉裏テーブルにおいて、置台の上下左右を板材で構成し、その置台の開口中間に棚を組み込む。棚の幅は、天板の囲炉裏部開口を覆うフタが収納できるサイズとする。この中間棚により強度が増し、上部に座卓をのせて積重ねても丈夫な強度とした置台をもつ木製２段式囲炉裏テーブル。
【考案の詳細な説明】
【技術分野】
【０００１】
本考案は電熱器を熱源とする木製２段重ね式囲炉裏型テーブルに関するものである。
【背景技術】
【０００２】
古くは囲炉裏とは床に炉を切り木枠で囲み、内部に灰を敷き炭やたき木を燃やして、暖をとり、食べ物を炙ったり煮炊きするなど調理をするものでした。また、移動できる暖房器具としては長火鉢という木製の筐体に耐火構造を内蔵し、中に灰を敷いてその上で炭や燃やすものがあった。いずれにしても、周りに人が座り。灰の上で燃える炭火を見つめながら、暖をとり、食事をしたり会話を楽しむ、雰囲気を演出する道具という面がありました。
【０００３】
近年ではローテーブルに開口部を設けて銅板などの耐熱内張りした座卓タイプの囲炉裏テーブルが普及してきた。内部に灰を敷きその中に炭火等で使用することを前提としていた。一方、現代の住宅事情や生活様式では炭火に変わる暖房器具や調理器具として酸素を燃焼させない電気ヒータ、電磁調理器などが使われるようになった。
【考案の開示】
【考案が解決しようとする課題】
【０００４】
囲炉裏テーブルを座卓として床に座って使用することは、足腰の弱った老人や生活様式にあわない人にとって膝や脚、腰に負担を与え苦痛となる。また、炭火等を熱源とすると不完全燃焼による一酸化炭素中毒の心配があり。ススによる室内の空気や壁の汚れ、また敷いた灰が風に舞い上がり室内を汚すおそれがあります。火を消しても残り火として長時間くすぶり続け、火の始末の心配がある。囲炉裏部を覆うフタが無かったり、粗末な物になっていた。熱源を電熱器や電磁調理器とすると、耐熱処理されていない通常のテーブル上では天板が傷んだり変質するおそれがある。電気コードの取りまわしが見苦しいなどの問題がある。
【課題を解決するための手段】
【０００５】
食卓テーブルとして使用できるように座卓部を置台の上に積重ねる。置台上面の周囲に段差をもうけ、座卓底部に接合枠を取り付けて、積重ねて接合させる。横ズレで外れることのないような構造とした。囲炉裏内部に電熱器を入れて熱源とする。電熱器の周りに白石を敷いて美的な装飾をして、なおかつ囲炉裏らしい雰囲気を醸し出す。電気コードをまとめて吊り下げる木製フックを付けた。囲炉裏部を隠すフタを天板と同じ無垢材で作る。フタを格納できる棚を置台に組み付けた。
【考案の効果】
【０００６】
食卓テーブルとして椅子にて使用できるため長時間座っても膝や脚、腰への負担が少ない。積重ねたときの接合に特別な金具や部品を使用せずに横ズレしなくグラつきなく安定している。座卓部を置台から外す際にも工具は不要で、持ち上げて横に降ろし別々に座卓と脇机としても使用できる。炭型電熱器は炭火に比べ安全性が高く速やかに火力が確保でき、暖をとったり湯を沸かしたりできる。燃焼しないので空気を汚さないため、密封性の高い近頃の住宅でも換気の心配なく使用できる。スイッチを切れば余熱が冷えるのを待つだけで、残り火の心配が無く火の始末が楽である。茶道用の炭型電熱器を用い囲炉裏で炭が燃える雰囲気を味わえ、寛げる。未使用時にフタをすることで囲炉裏部を覆い天板面が平らなテーブルとなるので、普段でも本格的な無垢板家具として使用できる。合板などに比べて無垢材のフタは燃えにくく火災の原因になりにくい。置台に設けた棚で囲炉裏フタを格納できるようになった。電源コードが垂れ下がり、広がることのないよう木製フックを胴体側面につけたため、天板の陰になって配線が見苦しくなく整理できる。
【考案を実施するための最良の形態】
【０００７】
座卓と置台の構成からなり、積重ねると食卓として使用でき、別々にすると座卓と脇台として使用できる。木製家具としても本格的な無垢材テーブルで、座卓部の底部にハカマ状の接合枠、置台の上面に枠受け入れの段差を設ける。座卓の接合枠を上から置台の段差に下ろして合わせるだけで、特別な金具や部品を使用することなく、横からの力で外れる事のない接合構造を実現する。電源コードが外部に露出しないように、囲炉裏部の内面の銅板・断熱用の石こうボード・胴体側板と貫通する穴を開け、配線を通して取り出した。電熱器を使用しない時に、配線が見苦しくならないようにコード・スイッチを結束バンドでまとめて引っ掛け、吊り下げられる木製フックを胴体側面につけた。置台の内部中間に棚を設け、囲炉裏部フタを収納できるようにした。木部はすべて無垢材を使用して木製家具としての格調と風格を保った。
【実施例】
【０００８】
本考案の木製２段式囲炉裏テーブルは大きく２つの部分からなる。図１は全体として囲炉裏テーブルとして接合されハイテーブルとなった様子を示す。このうち上の部分が座卓部で、.天板１と胴体２、接合枠４で構成される。下の部分は置台５である。図２は座卓部分が単独でも囲炉裏型ローテーブルとして活用できる形態であることを表している。囲炉裏フタ２を開けると内側が銅板張りされた囲炉裏内部２１が現れる。銅板２２の裏側は石こうボード２２で耐熱・耐火処理している。天板は天然木の無垢材で作られているが、胴体３も無垢材でできており、その底部に通称ハカマと呼ばれる接合枠４が取り付けてある。ローテーブルとして使用する際、接合枠が床面に接地するため、安定しかつ、タタミや床を傷つけない幅３５ｍｍ程度の木枠とした。引出し８にはランチョンマットを収納したり、旧来の火鉢のように海苔を入れるうこともできる。
【０００９】
図３は接合枠４と置台５である。説明上、接合枠は胴体から分離した図としてある。置台は天地と左右を板で囲み、中間に棚板９を組み込んだ構造である。前後が口が開いて抜けている。積み重ねてハイテーブルとして使用する時、足を入れることができるように配慮した。この棚をつけることで置台の強度を増強している。置台上面の周囲を３０ｍｍ幅で削りこみ段差１０をつけた。この段差に接合枠４をはめ込む。より詳しく図４で接合を説明する。接合枠４の内のりを段差１０の凸部周囲よりやや大きくなるようとり、きつ過ぎず、ガタつきもない精度とした。段差を約１０ｍｍ程度に高くとることで横方向の力でも簡単に接合枠が外れない。実際の接合方法は座卓部を持ち上げ、置台の上方に運んで、胴体３に取付けた接合枠４を上から置台５の段差１０に下ろし、前後左右に揺すってかみ合わせるだけである。図１で接合したときの様子を示す。胴体３と置台５は同じ木材でつくり、同一平面とするが接合枠４を色の異なる木材で作り、外へ少し５ｍｍ程度出っ張るよう寸法で、化粧としてもワンポイントアクセントとしてテーブル全体に純和風とは異なったモダンな雰囲気を与える。
【００１０】
図５囲炉裏断面図である。銅板２２は主に輻射熱を反射し、石こうボード２３は耐熱・耐火材としての役割がある。このような耐火構造は旧来の長火鉢でも使われていたもので、このまま灰を敷き、炭火を置いて使用できるものである。本考案ではあえて図５の囲炉裏内部２１に炭型電熱器を設置して、その周囲に灰の代わりに白石を敷く。全体として囲炉裏の雰囲気を保ちながら空気を汚さず、手早く火力を確保できる。また炭型の電熱器の火は、炭火に近い雰囲気があるので、火を見て寛ぐこともできる。
【００１１】
図２、座卓上面の天板１は天然木の無垢材で作られ、囲炉裏部２１を覆う囲炉裏フタ２を装着すると平らなテーブル面となる。したがって、フタ２を閉じて座卓の状態では本格的無垢板のローテーブルとして、積重ねるとハイテーブルとして椅子に座って使用できる。合板などに比べて無垢材のフタは燃えにくく火災の原因になりにくい。囲炉裏として使用するときはフタ２を外す。本考案ではフタも天板１と同一の無垢材で作るため重くなるので２枚に分け、合わせ目中央に穴を穿って指を入れて持ち上げフタを取り外す。図３の置台の中間に取り付けられた棚９に囲炉裏フタ２を収納する。従来はこのフタがなかったり粗末なものであったのでフタの収納は考えられていなかったが貴重な材料であるので、収納も考慮した。
【００１２】
図５囲炉裏内部２１に置かれた電熱器の電気コードは配線通し穴７を通じて胴体３の外に取り出す。通常テーブル上で電気調理器を使用する場合には天板上をコードをはわせ、卓上が煩雑になる、さらに調理器に載せられた鍋はかなり高い位置になり伸び上がって覗き込むことになりがちである。本考案は熱源として炭型電熱器を囲炉裏内部２１に組み込み耐熱構造の中に納める。その配線コードが外部に見えないように通し穴から取り出し、美観を保ちながら切替スイッチと電源プラグへの接続を確保した。熱源が低い位置にあるため鍋を覗き込むのに伸び上がる必要がない。電熱器を使用しない時、配線コード等が見苦しくテーブル周囲に垂れ下がることのないように胴体３の側面に取付けた配線フック６、これに結束バンドでまとめた配線コード類を吊り下げられるようにした。このフックは木製の丸棒をだぼ状に胴体に埋め込み、突出した上部を丸くえぐってコードが引っかかり易くしてある。天板下部の上からは見えにくい位置に配線フックを取付けられているため、配線コードをまとまりよくスッキリと収納できる。
【図面の簡単な説明】
【００１３】
【図１】囲炉裏テーブル全体を示す斜視図
【図２】囲炉裏テーブル上部の座卓部の斜視図
【図３】接合枠と囲炉裏テーブル下部の置台の斜視図
【図４】上部下部接合の説明断面図
【図５】配線フックと配線通し穴を表す胴体断面図
【符号の説明】
【００１４】
１  天板
２  囲炉裏フタ
２１  囲炉裏内部
２２  銅板
２３  石こうボード
３  胴体
４  接合枠（ハカマ）
５  置台
６  配線フック
７  配線通し穴
８  引出し
９  棚
１０  段差
【図１】
0003121781.tif 000003
【図２】
0003121781.tif 000004
【図３】
0003121781.tif 000005
【図４】
0003121781.tif 000006
【図５】
0003121781.tif 000007
【手続補正書】
【提出日】平成17年10月24日(2005.10.24)
【手続補正１】
【補正対象書類名】実用新案登録請求の範囲
【補正対象項目名】全文
【補正方法】変更
【補正の内容】
【実用新案登録請求の範囲】
【請求項１】
座卓と置台の構成からなり、積重ねると食卓つまりハイテーブルで使用でき、別々にすると座卓と脇台としてローテーブルで使用できる２段重ね方式の木製テーブルにおいて、座卓部は天板中央に開口から胴体内部に耐熱構造の火鉢を内蔵した囲炉裏型とし、座卓の底部に接合枠、置台の上面にこれを受け止める段差を設けることにより、接合時に横からの力で外れない構造とした木製２段式囲炉裏テーブル。
【請求項２】
請求項１の木製２段式囲炉裏テーブルにおいて座卓部の囲炉裏内部に電熱器を設置し、囲炉裏内部から胴体へ貫通する配線通し穴を穿ち、その穴から胴体外部へ取り出した電源コードをまとめ吊り下げる突起状の木製フックを胴体側面につけた木製２段式囲炉裏テーブル。
【請求項３】
請求項１の木製２段式囲炉裏テーブルにおいて、置台の上下左右つまり天地側面を板材で構成し、その置台の開口中段に棚板を組み込み、棚に天板の囲炉裏部開口を覆うフタを収納できる幅とし、この中間棚により強度が増して座卓を上部に積重ねても丈夫な構造とした置台をもつ木製２段式囲炉裏テーブル。